(57)【特許請求の範囲】
【請求項１】
配管の傾きを測る水準器を当該配管に取付けるために前記配管と水準器の間に介在される水準器取付具であって、
前記配管の外周に外嵌可能な断面略円弧状に形成された弾性部材からなる配管把持部と、
該配管把持部の外周方向の略中央部に一方側が固定された支持部と、
該支持部の他端側に取付けられ、水準器を載置可能で、且つ前記配管把持部の長尺方向と平行な載置面を具備する略Ｌ字型の金属製の水準器載置プレートと、
を具備することを特徴とする水準器取付具。
【請求項２】
前記配管把持部が前記配管の外周の半分以上を覆うことを特徴とする請求項１に記載の水準器取付具。
【請求項３】
前記支持部は伸縮自在であることを特徴とする請求項１又は２に記載の水準器取付具。
【請求項４】
前記水準器載置プレートは、前記支持部に回転自在に設けられていることを特徴とする請求項１乃至３のいずれかに記載の水準器取付具。
【請求項５】
前記配管把持部は、外周方向の両端に該配管把持部の長尺方向に渡って外開きに設けられたガイド部を有することを特徴とする請求項１乃至４のいずれかに記載の水準器取付具。
【請求項６】
前記配管把持部の内周面に滑り止め加工が施されたことを特徴とする請求項１乃至５のいずれかに記載の水準器取付具。
【請求項７】
前記配管把持部は、前記配管の外周に外嵌可能な断面略円弧状に形成された弾性部材からなる配管フィット部材と、
配管フィット部材の長尺方向の両端側に、支点を中心に閉方向に回転付勢されて前記配管を挟持可能な開口部を有する２つの断面略円弧状の挟持部材からなるウィングが複数設けられていることを特徴とする請求項１乃至６のいずれかに記載の水準器取付具。
【請求項８】
前記ウィングには、前記開口部を拡大自在とするつまみ部が設けられていることを特徴とする請求項７に記載の水準器取付具。
【請求項９】
前記配管把持部を複数具備すると共に、
それぞれの前記配管把持部が互いに連結部材によって長尺方向に所定の間隔を有して連結されていることを特徴とする請求項１乃至６のいずれかに記載の水準器取付具。
【請求項１０】
前記水準器を挟持可能な挟持部と、該挟持部を前記水準器載置プレートに着脱可能とする磁石と、から成る水準器保持具を具備することを特徴とする請求項１乃至９のいずれかに記載の水準器取付具。
【請求項１１】
前記配管把持部の外周面に所定角度間隔で、目印が設けられていることを特徴とする請求項１乃至１０のいずれかに記載の水準器取付具。
【請求項１２】
前記配管把持部の外周方向に所定間隔で、その外周面の長尺方向に、凸状に形成された金属製の凸部が設けられていることを特徴とする請求項１乃至１０のいずれかに記載の水準器取付具。
【発明の詳細な説明】
【技術分野】
【０００１】
本発明は、配管に市販の水準器を簡易、且つ、正確に取付けることができ、更に、該配管の勾配を正確に測定することができる水準器取付具に関する。
【背景技術】
【０００２】
従来から配管工事等を行う際には、配管の勾配を測定するために水準器が用いられている。特に、住宅等の屋内の排水管においては、一定の勾配を排水管にもたせないと排水汚物等の滞りによって排水つまりの原因となる場合があり、正確に勾配を測定する必要がある。そのため、排水管を敷設する際は、常に適切な勾配が確保できているかを確認しながら作業を行う必要がある。
【０００３】
配管の勾配を測定するための勾配器１００としては、例えば、図２１に示すように、配管１０１の勾配を示す表示部１０２を備える円形状に形成された本体１０３と、配管１０１の外周面に接し、前記表示部１０２を配管１０１上に支持し、配管１０１に接する部分１０４ａ、１０４ｂには、滑り止め手段が設けられた支持部１０５ａ、１０５ｂとからなるものがある（例えば、特許文献１）。また、従来の水準器としては、マグネットを備えていない非マグネット式水準器と下面にマグネットを備えたマグネット式水準器が市販されている。マグネット式水準器では、下面にマグネットを備えているので、金属製の配管等に磁着させることが可能である。
【０００４】
しかしながら、特許文献１に示す勾配器では、配管に接する部分に滑り止め手段が設けられているだけなので、配管の上部に設置することはできるが、配管の下部や側面に設置することができない。また、マグネット式水準器は、金属製の配管には取付けることができるが、塩化ビニル管等には使用することができないという問題がある。
【０００５】
これらの問題を解決するために、例えば、図２２に示すように、勾配計２００は、配管１０１の周方向に沿うように略円弧状に湾曲した板状の部材であり内径側表面を配管１０１の表面に押し付けることで該配管１０１の軸長方向と自らの軸長方向を一致させ得る固定部２０１が設けられ、この固定部２０１の外周面に気泡管２０２が設けられたものである（例えば、特許文献２）。
【特許文献１】特開２０００−２９８０１８号公報
【特許文献２】特開２００３−１４４５４号公報
【発明の開示】
【発明が解決しようとする課題】
【０００６】
しかしながら、特許文献２に示す勾配計２００では、固定部２０１に取付けられる気泡管２０２に限定されるため、これまで使用していた市販の水準器等を使用することができないので、経済的に好ましくない。また、使用できる気泡管２０２の形状が限定されるので、気泡管２０２が破損した場合は、同じ気泡管２０２又は固定部２０１を含めた勾配計２００ごと購入する必要がある。
【０００７】
本発明は上記のような種々の課題を解決することを目的としてなされたものであって、配管に市販の水準器を簡易、且つ、正確に取付けることができ、更に、該配管の勾配を正確に測定することができる水準器取付具を提供することを目的とする。
【課題を解決するための手段】
【０００８】
上記目的を達成するために、請求項１に記載の水準器取付具は、配管の傾きを測る水準器を当該配管に取付けるために前記配管と水準器の間に介在される水準器取付具であって、前記配管の外周に外嵌可能な断面略円弧状に形成された弾性部材からなる配管把持部と、該配管把持部の外周方向の略中央部に一方側が固定された支持部と、該支持部の他端側に取付けられ、水準器を載置可能で、且つ前記配管把持部の長尺方向と平行な載置面を具備する略Ｌ字型の金属製の水準器載置プレートと、を具備することを特徴としている。
【０００９】
請求項２に記載の水準器取付具では、前記配管把持部が、前記配管の外周の半分以上を覆うことを特徴としている。
【００１０】
請求項３に記載の水準器取付具では、前記支持部は、伸縮自在であることを特徴としている。
【００１１】
請求項４に記載の水準器取付具では、前記水準器載置プレートが、前記支持部の他端側を支点に回転自在に設けられていることを特徴としている。
【００１２】
請求項５に記載の水準器取付具では、前記配管把持部は、外周方向の両端に該配管把持部の長尺方向に渡って外開きに設けられたガイド部を有することを特徴としている。
【００１３】
請求項６に記載の水準器取付具では、前記配管把持部の内周面に滑り止め加工が施されたことを特徴としている。
【００１４】
請求項７に記載の水準器取付具では、前記配管把持部が、前記配管の外周に外嵌可能な断面略円弧状に形成された弾性部材からなる配管フィット部材と、配管フィット部材の長尺方向の両端側に、支点を中心に閉方向に回転付勢されて前記配管を挟持可能な開口部を有する２つの断面略円弧状の挟持部材からなるウィングが複数設けられていることを特徴としている。
【００１５】
請求項８に記載の水準器取付具では、前記ウィングに前記開口部を拡大自在とするつまみ部が設けられていることを特徴としている。
【００１６】
請求項９に記載の水準器取付具では、前記水準器把持具を複数具備すると共に、それぞれの前記水準器把持具が互いに連結部材によって長尺方向に所定の間隔を有して連結されていることを特徴としている。
【００１７】
請求項１０に記載の水準器取付具では、前記水準器を挟持可能な挟持部と、該挟持部を前記水準器載置プレートに着脱可能とする磁石と、から成る水準器保持具を具備することを特徴としている。
【００１８】
請求項１１に記載の水準器取付具では、前記配管把持部の外周面に所定角度間隔で、目印が設けられていることを特徴としている。
【００１９】
請求項１２に記載の水準器取付具では、 前記水準器把持部の外周方向に所定間隔で、その外周面の長尺方向に、凸状に形成された金属製の凸部が設けられていることを特徴としている。
【発明の効果】
【００２０】
請求項１の水準器取付具によれば、配管把持部は配管の外周に外嵌可能な断面略円弧状に形成された弾性部材からなるので、従来のマグネット式水準器では取付けることができない塩化ビニル製の配管等にも、該配管の外周に沿って正確に取付けることができる。また、前記水準器取付具は、水準器を載置するための金属製の水準器載置プレートを備えているので、これまで使用していた市販の水準器をそのまま使用することが可能であり、経済的である。
【００２１】
また、前記配管に水準器取付具を取付けておけば、水準器を手で押さえておく必要がなく、両手で作業を行いながらでも配管の勾配を常に確認することができる。更に、脚立に登って作業を行う場合等は、前記配管に水準器取付具を取付けたまま次の作業域まで移動でき、計測器の入手のため等に、脚立から降りる必要がなくなるので、作業を効率よく行うことが可能となる。
【００２２】
また、前記水準器載置プレートは、略Ｌ字型に形成されているので、例えば、天井懐が狭く配管の上面に水準器を載置する余裕がないときは、配管の側面に配管把持部を取付けて、支持部の先端に設けられた配管把持部の長尺方向と平行な載置面とは異なるもう一方の面に水準器を載置することで、正確に勾配を測定することができる。
【００２３】
請求項２の水準器取付具によれば、配管把持部が配管の外周の半分以上を覆うように形成されているので、前記配管把持部の内周と配管の外周との接触面が大きくなり、より安定して配管に取付けることができる。
【００２４】
請求項３の水準器取付具によれば、支持部が伸縮自在に設けられている。これにより、例えば、天井付近に設けられた塩化ビニル製の配管で、人の身長では少し届かない高い位置にある前記配管の勾配を測定するような場合でも、予め支持部を伸ばした状態で、前記配管の下面に水準器取付具を取付けておくことにより、脚立等を使用することなく、マグネット式水準器を容易に前記水準器載置プレート面に磁着することができる。更に、水準器の測定値を読む際にも脚立等を使用する手間を省くことができる。
【００２５】
請求項４の水準器取付具によれば、前記水準器載置プレートは回転自在に設けられている。これにより、前記水準器載置プレートを回転することで、該水準器プレート上に載置された水準器の向きが変更可能となるので、１つの水準器で配管の水平度及び垂直度を容易に測定することができる。
【００２６】
請求項５に記載の水準器取付具によれば、前記配管把持部の外周方向の両端に該配管把持部の長尺方向に渡って外開きに設けられたガイド部を有している。これにより、前記配管把持部を配管に取付ける際に、該配管がガイド部にガイドされ、配管の外周表面に沿って前記配管把持部の開口部が広がりやすくなり、配管把持部の配管への取付けが容易になる。また、配管に取付けられた配管把持部をガイド部を掴んで取外すことができるので、配管からの取外しも容易になる。
【００２７】
請求項６に記載の水準器取付具によれば、配管把持部の内周面に滑り止め加工が施されているので、配管の所定位置に取付けられた水準器取付具がずれることがない。
【００２８】
請求項７に記載の水準器取付具によれば、配管フィット部材の長尺方向の両端側には、閉方向に回転付勢されて配管を挟持可能な開口部を有するウィングが複数設けられている。これにより、該ウィングを配管に被せることで、配管の外周の径と前記ウィングの開口部の径が一致する配管フィット部材の両端側のそれぞれの前記ウィングにより水準器取付具が配管に固定されることになり、様々な径の配管に対応することが可能となる。
【００２９】
請求項８に記載の水準器取付具によれば、前記ウィングの開口部を拡大自在とするつまみ部が設けられているので、該つまみ部を利用することにより、水準器取付具の配管への取付け、及び取外しが容易になる。
【００３０】
請求項９に記載の水準器取付具によれば、複数の配管把持部が連結部材によって長尺方向に所定の間隔を有して連結されているので、配管の所定間隔における勾配を測定することが可能となり、勾配測定の精度を向上させることができる。
【００３１】
請求項１０に記載の水準器取付具によれば、市販の非マグネット式水準器であっても、挟持手段によって前記非マグネット式水準器を挟持し、金属製の水準器載置プレート上に、前記非マグネット式水準器が挟持された水準器保持具を磁着させることにより、配管の勾配を正確に測定することができる。
【００３２】
請求項１１に記載の水準器取付具によれば、配管把持部の外周面に所定角度間隔で、目印が設けられている。これにより、例えば、配管把持部の外周方向の中央部及び中央部から外周方向両側に１度間隔で目印となるライン等を設けることで、配管に取付けられた配管把持部をその位置から、前記配管の外周に沿って回転させる際等は、前記ラインを目印とすることによって、何度回転されたかを確認することができる。
【００３３】
請求項１２に記載の水準器取付具によれば、配管把持部の外周方向に所定間隔で、その外周面の長尺方向に、凸状に形成された金属製の凸部が設けられている。これにより、例えば、配管把持部の外周方向の中央部及び中央部から外周方向両側の９０度の箇所に凸部を設けることで、配管の外周に沿って回転させる際等の目印とすることができる。また、前記凸部は金属製であるので、該凸部上にマグネット式水準器を直接取付けることも可能である。
【発明を実施するための最良の形態】
【００３４】
以下に本発明における最良の実施の形態について図面に基づいて説明する。第１の実施形態に係る水準器取付具１は、図１に示すように、配管２の外周に外嵌可能な断面略円弧状に形成された弾性部材からなる配管把持部３と、該配管把持部３の周方向中央部に設けられている支持部４と、該支持部４の先端に設けられているＬ字型の水準器載置プレート５から構成される。
【００３５】
配管２の勾配を測定する際に、使用される水準器としては、ガラス管にアルコール等を入れ、気泡を残しておいて、配管が水平になったときに前記気泡が中央に来るようにしたものが一般的である。また、市販の水準器には、磁石１３を有していない非マグネット式水準器と金属製の配管に磁着することができるように下面に磁石１３を有したマグネット式水準器１４がある。また、戸建て住宅の屋内等における配管２には、一般的に塩化ビニル製の配管２が使用されており、この場合にはマグネット式水準器１４をそのまま配管２に磁着することはできない。
【００３６】
配管把持部３は、薄板状の金属製、若しくは、合成樹脂製の部材を断面が略円弧状となるように湾曲させることにより形成されている。また、配管把持部３は、弾性部材から構成されているので、配管把持部３の周方向両端部６を配管２の外周面に押し付けることにより、配管把持部３の周方向開放側が拡径される。更に、配管把持部３を押し込むことにより、配管把持部３は配管２を抱き込むと共に、弾性作用によって固定される。また、配管把持部３の長尺方向は、配管２に取付けられた際に、その長尺方向に多少の力が作用した場合でもずれない程度の所定の長さを有している。尚、配管把持部３は配管２の外周の半分以上を覆うことが好ましい。これにより、配管把持部３の内周が配管２の直径の最大径よりも下の部分を挟むようになるので、より安定して取付けることができる。また、本実施形態に係る配管把持部３は、一例であり、使用される材料や形状等は目的に応じて適宜変更することができる。
【００３７】
図２及び図３に示す水準器取付具１ａでは、配管把持部３の周方向両端に長尺方向に渡って外開きに設けられたガイド部７を形成している。これにより、配管把持部３を配管２に嵌め込む時、前記ガイド部７が配管２の外周面に当接しながら滑り易くなるので、外周面に沿って配管把持部３の周方向開放側が拡径されやすくなり、配管把持部３の配管２への取付けが容易になる。また、配管２に取付けられた配管把持部３をガイド部７を掴んで取外すことができるので、配管２からの取外しも容易になる。
【００３８】
また、配管把持部３の内周面には、図４に示すようにラバーＸ等の滑り止め加工を施すことで、配管２に取付けられた配管把持部３がその所定位置から滑ってずれること等を防ぐことができるので、より正確な勾配の測定が可能になる。尚、滑り止め加工は、内周面に凹凸等を形成すればより効果的である。
【００３９】
更に、配管把持部３の外周方向の中央部及び該中央部から外周方向両側に４５度、９０度の箇所に目印となるラインＹを長尺方向に沿って設ければ、配管２に取付けられた配管把持部３をその位置から、前記配管２の外周に沿って、所定角度回転させる際等は、このラインＹを目印とすることができ、便利である。尚、ラインＹの間隔は特に限定されるものではないが、少なくとも周方向の中央部、及び中央部から周方向両側の９０度の箇所に設けることが好ましい。
【００４０】
また更に、図４に示すように、ラインＹと直交するようにラインＺを設けることにより、水準器載置プレート５を９０度回転させる場合に、ラインＺを目印に回転させることができる。これにより、例えば、略垂直に設けられる配管２の垂直度を測定するために、水準器載置プレート５を９０度回転させる必要がある場合にも、ラインＺを目印に回転させることで、水準器載置プレート５の位置出しが容易になるので、配管２の垂直度の測定をより正確に行うことができる。また、本実施形態のように配管把持部３が金属製であれば、図４に示すように、配管把持部３の外周面にマグネット式水準器１４を直接載置することも可能になり、更に、ラインＹを目印とすることで、マグネット式水準器１４を正確に載置することができる。
【００４１】
支持部４は、その一方側が配管把持部３の周方向中央部に固定されている。。図３に示すように、支持部４は、配管把持部３の外周上に設けられた雌ネジを刻んだ筒体８内に雄ネジの軸部９が螺着されており、該軸部９を回転させながら出し入れすることにより高さの調節を行うこともできる。また、測定時には、ロックナット１０により軸部９を締付けることにより、固定する。尚、本実施形態に係る支持部は一例であり、他の周知の方法を適用することも可能である。
【００４２】
また、配管把持部３の外周面にネジ穴等を設けることにより、筒体８が配管把持部３と着脱自在となる構成にすることも可能である。更に、ネジ穴を配管把持部３の外周方向に所定角度間隔をあけて、複数設けても良い。これにより、複数の支持部４及び水準器載置プレート５を用いることで、１つの水準器取付具１ａに複数のマグネット式水準器１４を取付けることが可能になるので、異なる方向の勾配を一度に確認することができる。
【００４３】
金属製の水準器載置プレート５は、図１に示すように着磁性の薄板状の金属で形成されており、配管把持部３の長尺方向に平行な一方の面１１の端部から略垂直に立ち上がるようにしてＬ字型に構成されており、面１１，１２のどちらにもマグネット式水準器１４の磁石１３を取付けることが可能である。また、一方の面１１は、軸部９の先端に設けられているので、ロックナット１０を緩めて、軸部９を回転させれば、水準器載置プレート５は該軸部９を中心に回転することができる。これにより、図５に示すように、水準器載置プレート５上に載置されたマグネット式水準器１４の向きを変更することが可能となるので、１つのマグネット式水準器１４を用いて、配管２の水平度及び垂直度を容易に測定することができる。
【００４４】
また、図６に示すように、天井懐等のスペースの狭いところに天井１５から配管保持具１６に支えられて、配管２が設けられている場合のように、配管２の上に水準器１４を載置することが困難な場合には、配管２の側面に配管把持部３を取付け、Ｌ字型の水準器載置プレート５の面１２上にマグネット式水準器１４を載置することにより、配管２の勾配を測定することが可能になる。尚、図１〜６では、マグネット式水準器１４を使用しているが、配管２の勾配が緩やかな場合には、市販の非マグネット式水準器を水準器載置プレート５に載置するだけでよい。
【００４５】
図７は、天井１５付近等の高い位置に配管保持具１６により支えられた配管２の下側に配管把持部３を取付けた例であり、マグネット式水準器１４を水準器載置プレート５の面１１上に磁着させることにより、配管２の勾配を測定することができる。また、人の身長よりも少し高い程度の天井１５から支えられた配管２であれば、支持部４の軸部９を延長することにより、脚立等を使用しないで、配管２の勾配を確認することができるので、作業性を向上することができる。
【００４６】
第２の実施形態に係る水準器取付具１ｂの配管把持部３ａは、図８に示すように、配管２の外周に外嵌可能な断面略円弧状に形成された弾性部材からなる配管フィット部材１７の長尺方向の両端側に、開口部１８の径が異なる複数のウィング１９がそれぞれ設けられたものである。ウィング１９は、図９に示すように、断面略円弧状に形成された２枚の挟持部材２０と、該２枚の挟持部材２０が互いに接している周方向側の一端の上面を板バネ２１により、連結された部材である。
【００４７】
前記板バネ２１は、それぞれの挟持部材２０をその閉方向に回転付勢する作用を有しており、図９（ｂ）に示すように、板バネ２１により連結されている部分を支点としてそれぞれの挟持部材２０を外側に開くことで、開口部１８が拡大されると共に、閉方向に付勢力が働くことになる。尚、ここでは、付勢手段として板バネ２１を用いているが、これに限定されるものではなく他にねじりコイルバネ等の他の周知の付勢手段を使用することができる。
【００４８】
また、図８に示すように、開口部１８の径が異なる複数のウィング１９のそれぞれの板バネ２１に設けられているピン挿通口２２と配管フィット部材１７の長尺方向両端に設けられているピン挿入口２３に、ピン２４を挿通し固定する。これにより、図１０に示すように、配管フィット部材１７の長尺方向両端に複数のウィング１９が設けられることになる。尚、ウィング１９の数は２つに限らず、１つ又は３つ以上設けてもよい。
【００４９】
したがって、例えば、図１０に示すように、細い配管２ａに取付けるような場合にも、該配管２ａの外周の径と一致する開口部１８の径を有するウィング１９ａにより水準器取付具１ｂは配管２ａに固定される。すなわち、開口部１８の半径が異なるウィング１９を複数設けることで、様々な径の配管に取付けることが可能となる。
【００５０】
一方、図１１に示すように、図１０の配管２ａより太い外径を有する配管２ｂに固定される場合には、該配管２ｂの外径に一致する開口部１８を有するウィング１９ｂにより水準器取付具１ｂが、固定される。この場合、前記ウィング１９ｂより開口部１８の径が小さいウィング１９ａは、２枚の挟持部材２０が左右に跳ね上げられた状態になる。
【００５１】
また、このウィング１９ａの挟持部材２０が大きく跳ね上げられた状態を軽減するために、図１２に示すウィング１９ｃのように、２枚の挟持部材２０ａの板バネ１９による連結部付近の径方向の厚みを薄く形成してもよい。これにより、図１２（ｂ）に示すように、２枚の挟持部材２０ａの左右への跳ね上がりを軽減することができるので、板バネ２１による閉方向への付勢力も小さくなり、配管２への取付けが容易になる。
【００５２】
また、図１３に示すように、２枚の挟持部材２０の連結側の一端付近に、夫々つまみ部２５を設けても良い。このつまみ部２５を互いに接近する方向に挟圧することにより、図１３（ｂ）に示すように、ウィング１９ｄの開口部１８が拡大されるので、水準器取付具１ｂの配管２ａ等からの取外しが容易になる。
【００５３】
図１４は、挟持部材２０の連結部付近の一例を示しており、一方の挟持部材２０に形成された突出部２６に、閉方向に付勢力が働くバネ２７を取付け、他方の挟持部材２０に形成された連結穴２８に前記突出部２６を挿入することにより、挟持部材２０が互いに連結されると共に、閉方向に付勢力が働くバネ２７が各挟持部材２０の間に設けられる。そして、前記バネ２７の両端を各挟持部材２０の内周面に取付けることで、該バネ２７の付勢力が作用するので、ウィング１９ｄは配管２ａ等を挟持することが可能となる。
【００５４】
第３の実施形態に係る水準器取付具１ｃは、図１５に示すように、２つの配管把持部３と、該２つの配管把持部３の周方向の略中央部をそれぞれ長尺方向に所定間隔を有して連結する連結部材２９と、該連結部材２９の長尺方向の中央部に設けられた支持部４と、該支持部４の先端に設けられた水準器載置プレート５から構成されている。水準器取付具１ｃは、２つの配管把持部３が連結部材２９によって、配管２の長尺方向に所定間隔を有して連結されているので、前記２つの配管把持部３を配管２に取付け、水準器載置プレート５上にマグネット式水準器１４を載置することにより、配管２の所定間隔における勾配を測定することが可能となる。
【００５５】
第４の実施形態に係る水準器取付具１ｄは、図１６に示すように、配管把持部３の外周面の長尺方向に伸びる凸状に形成された金属製の凸３０が、前記配管把持部３の外周方向に所定の間隔で設けられたものである。この実施形態では、凸部は、配管把持部３の外周方向の中央部及び中央部から外周方向両側の４５度、９０度の箇所に設けられている。凸３０は、図１６に示すようにマグネット式水準器１４を載置できる程度の幅を有しているので、凸部３０の上にマグネット式水準器１４を直接載置することも可能である。尚、凸部３０の間隔は特に限定されるものではないが、配管把持部３を配管２に沿って、回転するための目印とするために、少なくとも周方向の中央部、及び中央部から周方向両側の９０度の箇所に設けることが好ましい。
【００５６】
また、凸部３０の上面には、人の手指が挿入可能な程度の径を有する穴部３１が、例えば、２箇所設けられており、この穴部３１に手指を挿入して、引っ張ることができ、配管２から水準器取付具１ｄを容易に取外すことができる。尚、図１６では凸部３０の上面に穴部３１が２箇所設けられた実施例を示しているが、穴部３１を凸部３０の側面側に設けても良く、また該穴部３１の数や設置箇所等はこれらに限定されるものではなく、目的に応じて適宜変更することができる。
【００５７】
以上の実施形態において磁石１３を有さない非マグネット式水準器１４ａを使用して、配管の勾配を測定する際には、図１７、及び図１８に示すような水準器保持具３２を使用する。水準器保持具３２は、略直方体に形成された箱体３３の底面に磁石１３を有している。そして、上面の中央部には水準器１４ａの下方部分を挿入するための凹部３４が形成され、更にその両側には水準器１４ａの下方部分を挟持するための挟持部３５を有している。前記挟持部３５の内部には、内側方向に付勢力が作用するバネ部材（不図示）がそれぞれ設けられている。そして、図１８に示すように、水準器１４ａの下方部分を水準器保持具３２の上方から押し込むことにより、挟持部３５は外側に押圧され、引込むとともに、バネ部材により内側に付勢力が作用することになるので、水準器１４ａの下部が固定される。尚、水準器保持具３２は、上記のような構成に限定されるものではなく、金属製の水準器載置プレート５等に着脱可能な磁石１３と非マグネット式水準器１４ａを挟持可能な挟持部３５を有していれば良く、例えば、挟持手段として、万力等のように片側から取付けネジ等によって、締付けて固定するようなものでも良い。
【００５８】
図１９、図２０は、非マグネット式水準器１４ａが取付けられた水準器保持具３２を使用して、配管２の勾配を測定する状態を示す図である。図１９、図２０に示すように、水準器保持具３２の磁石１３を有する下面を水準器載置プレート５の面１１上に磁着させることにより、非マグネット式水準器１４ａは水準器保持具３２、及び配管把持部３を介して、配管２に固定されることになるので、非マグネット式水準器１４ａを手で押さえておく必要はなく、両手で作業を行いながらでも勾配を確認することができる。また、水準器保持具３２を使用することにより、使用者が元々持っている水準器が非マグネット式水準器１４であっても新たに水準器を購入し直す必要がなく、そのまま使用することができるので、経済的である。
【図面の簡単な説明】
【００５９】
【図１】本発明の第１の実施形態に係る水準器取付具の一例を示す斜視図である。
【図２】配管把持部の周方向両端にガイド部を設けた水準器取付具の一例を示す斜視図である。
【図３】図２におけるＡ−Ａ線断面図である。
【図４】配管把持部の内周面に滑り止め加工を施した水準器取付具の一例を示す斜視図である。
【図５】図１の水準器載置プレートを回転させた時の斜視図である。
【図６】配管の側面に水準器取付具を固定した様子を示す概略図である。
【図７】配管の下面に水準器取付具を固定した様子を示す概略図である。
【図８】配管フィット部材の長尺方向両端に開口部の径が異なる複数のウィングが設けられた配管把持部の一例を示す斜視図である。
【図９】ウィングの構成を示す正面図であり、（ａ）は閉鎖時を示す正面図、（ｂ）は開放時を示す正面図である。
【図１０】本発明の第２の実施形態に係る水準器取付具の一例を示す斜視図である。
【図１１】ウィングが左右に跳ね上げられた状態を示す正面図である。
【図１２】ウィングの他の一例を示すもので、（ａ）は閉鎖時を示す正面図、（ｂ）は開放時を示す正面図である。
【図１３】ウィングにつまみ部を設けた一例を示すもので、（ａ）は閉鎖時を示す正面図、（ｂ）は開放時を示す正面図である。
【図１４】図１３における連結部付近の一例を示す拡大斜視図である。
【図１５】本発明の第３の実施形態に係る水準器取付具の一例を示す斜視図である。
【図１６】本発明の第４の実施形態に係る水準器取付具の一例を示す斜視図である。
【図１７】水準器保持具の一例を示す概略図である。
【図１８】図１７における水準器保持具に非マグネット式水準器を装着する様子を示す説明図である。
【図１９】水準器保持具を具備した水準器取付具の一例を示す斜視図である。
【図２０】図１９におけるＢ−Ｂ線断面図である。
【図２１】特許文献１の従来技術の斜視図である。
【図２２】特許文献３の従来技術の斜視図である。
【符号の説明】
【００６０】
１、１ａ、１ｂ、１ｃ、１ｄ  水準器取付具
２、２ａ、２ｂ        配管
３、３ａ              配管把持部
４、４ａ              支持部
５                    水準器載置プレート
７                    ガイド部
１３                  磁石
１７                  配管フィット部材
１８                  開口部
１９、１９ａ、１９ｂ、１９ｃ、１９ｄ  ウィング
２０、２０ａ          挟持部材
２５                  つまみ部
２９                  連結部材
３０                  凸部
３２                  水準器保持具
３５                  挟持部
Ｘ                    ラバー（滑り止め加工）
Ｙ                    ライン（目印）
【図１】
0004953016.tif 000002
【図２】
0004953016.tif 000003
【図３】
0004953016.tif 000004
【図４】
0004953016.tif 000005
【図５】
0004953016.tif 000006
【図６】
0004953016.tif 000007
【図７】
0004953016.tif 000008
【図８】
0004953016.tif 000009
【図９】
0004953016.tif 000010
【図１０】
0004953016.tif 000011
【図１１】
0004953016.tif 000012
【図１２】
0004953016.tif 000013
【図１３】
0004953016.tif 000014
【図１４】
0004953016.tif 000015
【図１５】
0004953016.tif 000016
【図１６】
0004953016.tif 000017
【図１７】
0004953016.tif 000018
【図１８】
0004953016.tif 000019
【図１９】
0004953016.tif 000020
【図２０】
0004953016.tif 000021
【図２１】
0004953016.tif 000022
【図２２】
0004953016.tif 000023